【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
体腔へのおよび体腔からのその管腔を通じた流体の流動を促進するための、出口を含む送達チャネルと、
実質的に無視できる流動を該出口において生成しながら該送達チャネル中に薬物を装填するための手段と、
該薬物および担体流体を該送達チャネルを通じて該出口外および該体腔内に送るための第一のアクチュエータと
を含む、ある期間にわたって薬物を体腔内の体液中に送達するための薬物送達装置。
【請求項２】
実質的に無視できる流動を前記出口において生成しながら前記送達チャネル中に薬物を装填するための前記手段が、前記薬物を保持するための薬物供給リザーバと、前記担体流体を受け取るための廃棄物リザーバとを含み、該薬物供給リザーバが薬物供給弁を経由して該送達チャネルと流体結合しており、該廃棄物リザーバが廃棄物弁を経由して該送達チャネルと流体結合している、請求項1記載の装置。
【請求項３】
実質的に無視できる流動を前記出口において生成しながら前記送達チャネル中に薬物を装填するための前記手段が、制御された希釈度で該薬物を前記体腔に送達するように前記薬物供給弁、前記廃棄物弁および前記第一のアクチュエータを制御するための制御システムをさらに含む、請求項2記載の装置。
【請求項４】
前記薬物供給リザーバが加圧リザーバである、請求項2記載の装置。
【請求項５】
実質的に無視できる流動を前記出口において生成しながら前記送達チャネル中に薬物を装填するための前記手段が、該薬物を該送達チャネル中に送達するための第二のアクチュエータを含む、請求項1記載の装置。
【請求項６】
前記第一のアクチュエータが薬物および担体流体の流動を引き起こす速度と実質的に同様の速度で、前記第二のアクチュエータが薬物の流動を引き起こす、請求項5記載の装置。
【請求項７】
前記装置に入る内在性流体の性質を測定するためのセンサをさらに含む、請求項1記載の装置。
【請求項８】
聴覚系を電気刺激するための人工蝸牛と一体化するように適応した、請求項1記載の装置。
【請求項９】
聴覚障害を処置するために薬物を蝸牛に送達するように適応した、請求項8記載の装置。
【請求項１０】
埋め込み手術の副作用を減少させるように適応した、請求項8記載の装置。
【請求項１１】
前記人工器官の性能を向上させるように適応した、請求項8記載の装置。
【請求項１２】
実質的に無視できる流動を前記出口において生成しながら前記送達チャネル中に薬物を装填するための前記手段が、(i) 該送達チャネルと流体連通するリザーバと、(ii) 該薬物を該リザーバから該送達チャネル中に送るための、ならびに前記担体流体の少なくとも一部分を該送達チャネル外および該リザーバ中に引き出すための投薬ポンプとを含む、請求項1記載の装置。
【請求項１３】
前記リザーバが、前記送達チャネルの長さよりも長いリザーバチャネルを含む、請求項12記載の装置。
【請求項１４】
前記リザーバチャネルの長さが該リザーバチャネルの幅および高さの両方よりも長い、請求項13記載の装置。
【請求項１５】
前記リザーバがポリイミドの平坦なシートの状態で形成される、請求項12記載の装置。
【請求項１６】
前記投薬ポンプが前記薬物を一方向にのみ送るように構成される、請求項12記載の装置。
【請求項１７】
前記投薬ポンプが1ストローク当たり少なくとも200nLを送達するように構成される、請求項12記載の装置。
【請求項１８】
前記第一のアクチュエータが往復膜を含む、請求項1記載の装置。
【請求項１９】
体腔へのおよび体腔からのその管腔を通じた流体の流動を促進するためのカニューレと、
該カニューレと流体連通する管腔を規定する少なくとも1つの中空部材であって、該少なくとも1つの中空部材および該カニューレが、流体が該少なくとも1つの中空部材および該カニューレから出る速度とは異なる速度で流体で満たされるように適応した、中空部材と、
該カニューレまたは該少なくとも1つの中空部材の少なくとも一方内に配置された、漏出経路を有する逆止弁と、
流体を該少なくとも1つの中空部材および該カニューレを通じて送るための、非連続的に動作するように適応したアクチュエータと
を含む、ある期間にわたって薬物を体腔内の体液中に送達するための薬物送達装置。
【請求項２０】
前記アクチュエータがリニアモータ、カムを有する回転モータ、ラッチ機構を有するソレノイド、ラッチ機構を有する電磁石、双安定モードを有するソレノイド、または双安定モードを有する電磁石のうちの1つを含む、請求項19記載の装置。
【請求項２１】
前記少なくとも1つの中空部材と流体連通する薬物貯蔵要素をさらに含む、請求項19記載の装置。
【請求項２２】
前記薬物貯蔵要素が複数の区画を含み、各区画が単一使用弁によって前記少なくとも1つの中空部材から隔てられている、請求項21記載の装置。
【請求項２３】
薬物が連続的かつ受動的に前記流体中に放出されるように、前記薬物貯蔵要素が浸食性の固体構成またはポリマー構成の少なくとも一方を含む、請求項21記載の装置。
【請求項２４】
選択された治療順序に従って処置を行うように、前記薬物貯蔵要素がそれぞれ別々の時間間隔で複数の化合物を放出するように適応した、請求項21記載の装置。
【請求項２５】
前記装置に入る内在性流体の性質を測定するためのセンサをさらに含む、請求項19記載の装置。
【請求項２６】
聴覚系を電気刺激するための人工蝸牛と一体化するように適応した、請求項19記載の装置。
【請求項２７】
聴覚障害を処置するために薬物を蝸牛に送達するように適応した、請求項26記載の装置。
【請求項２８】
埋め込み手術の副作用を減少させるように適応した、請求項26記載の装置。
【請求項２９】
前記人工器官の性能を向上させるように適応した、請求項26記載の装置。
【手続補正２】
【補正対象書類名】明細書
【補正対象項目名】００３９
【補正方法】変更
【補正の内容】
【００３９】
いくつかの態様では、本装置は、装置に入る内在性流体の性質を測定するためのセンサを含む。本装置は、聴覚系を電気刺激するための人工蝸牛と一体化するように、聴力障害を処置するために薬物を蝸牛に送達するように、埋め込み手術の副作用を減少させるように、かつ/または人工器官の性能を向上させるように適応しうる。
[本発明1001]
体腔へのおよび体腔からのその管腔を通じた流体の流動を促進するための、出口を含む送達チャネルと、
実質的に無視できる流動を該出口において生成しながら該送達チャネル中に薬物を装填するための手段と、
該薬物および担体流体を該送達チャネルを通じて該出口外および該体腔内に送るための第一のアクチュエータと
を含む、ある期間にわたって薬物を体腔内の体液中に送達するための薬物送達装置。
[本発明1002]
実質的に無視できる流動を前記出口において生成しながら前記送達チャネル中に薬物を装填するための前記手段が、前記薬物を保持するための薬物供給リザーバと、前記担体流体を受け取るための廃棄物リザーバとを含み、該薬物供給リザーバが薬物供給弁を経由して該送達チャネルと流体結合しており、該廃棄物リザーバが廃棄物弁を経由して該送達チャネルと流体結合している、本発明1001の装置。
[本発明1003]
実質的に無視できる流動を前記出口において生成しながら前記送達チャネル中に薬物を装填するための前記手段が、制御された希釈度で該薬物を前記体腔に送達するように前記薬物供給弁、前記廃棄物弁および前記第一のアクチュエータを制御するための制御システムをさらに含む、本発明1002の装置。
[本発明1004]
前記薬物供給リザーバが加圧リザーバである、本発明1002の装置。
[本発明1005]
実質的に無視できる流動を前記出口において生成しながら前記送達チャネル中に薬物を装填するための前記手段が、該薬物を該送達チャネル中に送達するための第二のアクチュエータを含む、本発明1001の装置。
[本発明1006]
前記第一のアクチュエータが薬物および担体流体の流動を引き起こす速度と実質的に同様の速度で、前記第二のアクチュエータが薬物の流動を引き起こす、本発明1005の装置。
[本発明1007]
前記装置に入る内在性流体の性質を測定するためのセンサをさらに含む、本発明1001の装置。
[本発明1008]
聴覚系を電気刺激するための人工蝸牛と一体化するように適応した、本発明1001の装置。
[本発明1009]
聴覚障害を処置するために薬物を蝸牛に送達するように適応した、本発明1008の装置。
[本発明1010]
埋め込み手術の副作用を減少させるように適応した、本発明1008の装置。
[本発明1011]
前記人工器官の性能を向上させるように適応した、本発明1008の装置。
[本発明1012]
実質的に無視できる流動を前記出口において生成しながら前記送達チャネル中に薬物を装填するための前記手段が、(i) 該送達チャネルと流体連通するリザーバと、(ii) 該薬物を該リザーバから該送達チャネル中に送るための、ならびに前記担体流体の少なくとも一部分を該送達チャネル外および該リザーバ中に引き出すための投薬ポンプとを含む、本発明1001の装置。
[本発明1013]
前記リザーバが、前記送達チャネルの長さよりも長いリザーバチャネルを含む、本発明1012の装置。
[本発明1014]
前記リザーバチャネルの長さが該リザーバチャネルの幅および高さの両方よりも長い、本発明1013の装置。
[本発明1015]
前記リザーバがポリイミドの平坦なシートの状態で形成される、本発明1012の装置。
[本発明1016]
前記投薬ポンプが前記薬物を一方向にのみ送るように構成される、本発明1012の装置。
[本発明1017]
前記投薬ポンプが1ストローク当たり少なくとも200nLを送達するように構成される、本発明1012の装置。
[本発明1018]
前記第一のアクチュエータが往復膜を含む、本発明1001の装置。
[本発明1019]
ある期間にわたって薬物を体腔内の体液中に送達するための方法であって、
実質的に無視できる流動を送達チャネルの出口において生成しながら薬物供給リザーバから該送達チャネル中に薬物を装填する段階と、
該薬物および担体流体を該送達チャネルを通じて該出口外および該体腔内に送るようにアクチュエータを駆動する段階とを含む、方法。
[本発明1020]
実質的に無視できる流動を前記送達チャネルの前記出口において生成しながら前記薬物供給リザーバから該送達チャネル中に前記薬物を装填する段階が、
該薬物供給リザーバからの該薬物が該送達チャネルに入ることを可能にするように薬物供給弁を開放する段階、
該送達チャネル中の前記担体流体の少なくとも一部分が廃棄物リザーバに入ることを可能にするように廃棄物弁を開放する段階、
所望の量の該薬物が該送達チャネルに入った後に該薬物供給弁を閉鎖する段階、および
該薬物が該廃棄物リザーバに入る前に該廃棄物弁を閉鎖する段階
を含む、本発明1019の方法。
[本発明1021]
前記出口において流動が発生しないように、前記送達チャネルに入るある量の前記薬物が、該送達チャネル中の等量の前記担体流体を前記廃棄物リザーバ中に移動させる、本発明1020の方法。
[本発明1022]
前記出口を通じた前記薬物の送達後に担体流体の流動を逆転させるように前記アクチュエータを逆転させる段階をさらに含む、本発明1019の方法。
[本発明1023]
実質的に無視できる流動を前記送達チャネルの前記出口において生成しながら前記薬物供給リザーバから該送達チャネル中に前記薬物を装填する段階が、
該薬物を該薬物供給リザーバから該送達チャネル中に送るように、かつ前記担体流体の少なくとも一部分を該送達チャネル外および該薬物供給リザーバ中に引き出すように、投薬ポンプを駆動する段階、ならびに
所定量の該薬物を該送達チャネル中に送達した後に該投薬ポンプを駆動停止する段階
を含む、本発明1019の方法。
[本発明1024]
前記送達チャネル中に送られる薬物の量が、前記薬物供給リザーバ中に引き出される前記担体流体の量に実質的に等しい、本発明1023の方法。
[本発明1025]
前記投薬ポンプが薬物を一方向にのみ送る、本発明1023の方法。
[本発明1026]
前記投薬ポンプが1ストローク当たり少なくとも200nLを送達する、本発明1023の方法。
[本発明1027]
前記投薬ポンプが1回のストローク後に駆動停止される、本発明1023の方法。
[本発明1028]
前記薬物供給リザーバが、前記送達チャネルの長さよりも長いリザーバチャネルを含む、本発明1019の方法。
[本発明1029]
前記リザーバチャネルの長さが該リザーバチャネルの幅および高さの両方よりも長い、本発明1028の方法。
[本発明1030]
前記薬物供給リザーバがポリイミドの平坦なシートの状態で形成される、本発明1019の方法。
[本発明1031]
前記アクチュエータが往復膜を含む、本発明1019の方法。
[本発明1032]
前記アクチュエータが、パルス状の流動を送達することで前記送達チャネルの閉塞を防止するかまたは逆転させるように駆動される、本発明1019の方法。
[本発明1033]
体腔へのおよび体腔からのその管腔を通じた流体の流動を促進するためのカニューレと、
該カニューレと流体連通する管腔を規定する少なくとも1つの中空部材であって、該少なくとも1つの中空部材および該カニューレが、流体が該少なくとも1つの中空部材および該カニューレから出る速度とは異なる速度で流体で満たされるように適応した、中空部材と、
該カニューレまたは該少なくとも1つの中空部材の少なくとも一方内に配置された、漏出経路を有する逆止弁と、
流体を該少なくとも1つの中空部材および該カニューレを通じて送るための、非連続的に動作するように適応したアクチュエータと
を含む、ある期間にわたって薬物を体腔内の体液中に送達するための薬物送達装置。
[本発明1034]
前記アクチュエータがリニアモータ、カムを有する回転モータ、ラッチ機構を有するソレノイド、ラッチ機構を有する電磁石、双安定モードを有するソレノイド、または双安定モードを有する電磁石のうちの1つを含む、本発明1033の装置。
[本発明1035]
前記少なくとも1つの中空部材と流体連通する薬物貯蔵要素をさらに含む、本発明1033の装置。
[本発明1036]
前記薬物貯蔵要素が複数の区画を含み、各区画が単一使用弁によって前記少なくとも1つの中空部材から隔てられている、本発明1035の装置。
[本発明1037]
薬物が連続的かつ受動的に前記流体中に放出されるように、前記薬物貯蔵要素が浸食性の固体構成またはポリマー構成の少なくとも一方を含む、本発明1035の装置。
[本発明1038]
選択された治療順序に従って処置を行うように、前記薬物貯蔵要素がそれぞれ別々の時間間隔で複数の化合物を放出するように適応した、本発明1035の装置。
[本発明1039]
前記装置に入る内在性流体の性質を測定するためのセンサをさらに含む、本発明1033の装置。
[本発明1040]
聴覚系を電気刺激するための人工蝸牛と一体化するように適応した、本発明1033の装置。
[本発明1041]
聴覚障害を処置するために薬物を蝸牛に送達するように適応した、本発明1040の装置。
[本発明1042]
埋め込み手術の副作用を減少させるように適応した、本発明1040の装置。
[本発明1043]
前記人工器官の性能を向上させるように適応した、本発明1040の装置。